(57)【要約】【課題】簡単な構造でテーブル部材を支持することができる車両用テーブルを提供する。【解決手段】車両用テーブル１１は、テーブル部材１３の基端部が車両用内装品１にヒンジ２６で連結され、テーブル部材１３が水平に支持された使用位置と車両用内装品１の縦壁１ａに沿う格納位置とに回動可能に設けられ、テーブル部材１３の先端部に回動可能に軸支された第１支持部材２９と、縦壁１ａに回動可能に軸支された第２支持部材３１と、を有する。第１及び第２支持部材２９，３１は、相互に回動可能に軸支されていると共にそれらのうちの第１支持部材２９に第２支持部材３１を掴持するブラケット３３が固定されており、使用位置では、第２支持部材３１がブラケット３３に掴持されることによってテーブル部材１３を水平に支持し、格納位置では、テーブル部材１３と縦壁１ａとの間に収納される。【選択図】図５
2006199182.tif 000002
【特許請求の範囲】
【請求項１】
テーブル部材の基端部が車両用内装品にヒンジで連結され、該テーブル部材が水平に支持された使用位置と該車両用内装品の縦壁に沿う格納位置とに回動可能に設けられた車両用テーブルであって、
上記テーブル部材の先端部に回動可能に軸支された第１支持部材と、上記縦壁に回動可能に軸支された第２支持部材と、を有し、
上記第１及び第２支持部材は、相互に回動可能に軸支されていると共にそれらのうちの一方の支持部材に他方の支持部材を掴持するブラケットが固定されており、上記使用位置では、該他方の支持部材が該ブラケットに掴持されることによって上記テーブル部材を水平に支持し、上記格納位置では、上記テーブル部材と上記縦壁との間に収納されることを特徴とする車両用テーブル。
【請求項２】
上記他方の支持部材は、開放端が幅方向内向きに撓み可能な略Ｕ字状の弾性材からなり、該両開放端のそれぞれの先端部分が略Ｌ字状に曲がって回動軸を形成すると共に該回動軸が上記ブラケットに回動可能に軸支されており、該両開放端が幅方向内向きに撓むことで該ブラケットの掴持位置と開放位置とに移動可能であることを特徴とする請求項１に記載の車両用テーブル。
【請求項３】
上記車両用内装品の上記縦壁には、上記他方の支持部材を保持可能な係止部が設けられており、上記テーブル部材が上記格納位置に位置付けられたときに、該係止部が該他方の支持部材を幅方向内向きに撓ませて保持することを特徴とする請求項２に記載の車両用テーブル。
【発明の詳細な説明】
【技術分野】
【０００１】
本発明は、テーブル部材の基端部が車両用内装品にヒンジで連結され、テーブル部材が水平に支持された使用位置と車両用内装品の縦壁に沿う格納位置とに回動可能に設けられた車両用テーブルに関する。
【背景技術】
【０００２】
リアサイドトリム等の車両用内装品に格納式の車両用テーブルが設けられた車両がある。かかる車両用テーブルは、一般に、テーブル部材の基端部が車両用内装品にヒンジで連結され、テーブル部材が水平に支持された使用位置と車両用内装品の縦壁に沿う格納位置とに回動可能に設けられた構成となっている。
【０００３】
特許文献１には、シート側に設けられたヒンジブラケットに回動可能に枢支されたテーブル本体を備え、そのテーブル本体の裏面側に一端が枢支され、他端がシート側に設けられた支持リンクによりテーブル本体がシートに沿う収納状態より略水平に保持された使用状態となるシートのテーブル構造が開示されている。このテーブル構造では、支持リンクが第１のリンクと、その先端に折り曲げ可能に小判型ピンによりピン軸支された第２のリンクとを有し、第１のリンクの先端にガイド溝とそれと連通する円形溝が形成され、第２のリンクの先端に嵌合溝が形成され、第２のリンクの先端の嵌合溝に嵌合された小判型ピンが第１のリンクの先端のガイド溝に位置する状態で第１のリンクと第２のリンクが略一直線上に保持されてテーブル本体が使用状態に保持され、第２のリンクの先端の嵌合溝に嵌合された小判型ピンが第１のリンクの先端の円形溝に位置する状態で第１のリンクと第２のリンクが折り曲げ可能な状態となるようになっている。そして、これによれば、テーブル本体の使用状態で、小判型ピンが第１のリンクの先端のガイド溝に位置し、テーブル本体を上方に持ち上げなければロック解除しないので、テーブル本体の使用状態で確実なロック状態が得られ、テーブル本体に載置されたカップ等の飲料がこぼれる虞れがない、と記載されている。
【特許文献１】特開２００２−１７２０４１号公報
【発明の開示】
【発明が解決しようとする課題】
【０００４】
しかしながら、上記特許文献１に開示されたテーブル構造では、第１及び第２のリンクの先端部分の形状が複雑である。そのため、それらの連結構造及びテーブル本体を支持する支持構造も複雑である。
【０００５】
本発明は、かかる点に鑑みてなされたものであり、その目的とするところは、簡単な構造でテーブル部材を支持することができる車両用テーブルを提供することにある。
【課題を解決するための手段】
【０００６】
上記の目的を達成する本発明の車両用テーブルは、テーブル部材の基端部が車両用内装品にヒンジで連結され、該テーブル部材が水平に支持された使用位置と該車両用内装品の縦壁に沿う格納位置とに回動可能に設けられた車両用テーブルであって、
上記テーブル部材の先端部に回動可能に軸支された第１支持部材と、上記縦壁に回動可能に軸支された第２支持部材と、を有し、
上記第１及び第２支持部材は、相互に回動可能に軸支されていると共にそれらのうちの一方の支持部材に他方の支持部材を掴持するブラケットが固定されており、上記使用位置では、該他方の支持部材が該ブラケットに掴持されることによって上記テーブル部材を水平に支持し、上記格納位置では、上記テーブル部材と上記縦壁との間に収納されることを特徴とする。
【０００７】
上記の構成によれば、第１及び第２支持部材、並びに、それらの一方の支持部材に固定されたブラケットによりテーブル部材の支持構造が構成され、しかも、その支持構造が、他方の支持部材がブラケットに掴持されることによってテーブル部材を水平に支持するものであるので、非常に簡単な構造でテーブル部材を支持することができる。
【０００８】
本発明の車両用テーブルは、上記他方の支持部材が、開放端が幅方向内向きに撓み可能な略Ｕ字状の弾性材からなり、該両開放端のそれぞれの先端部分が略Ｌ字状に曲がって回動軸を形成すると共に該回動軸が上記ブラケットに回動可能に軸支されており、該両開放端が内側に撓むことで該ブラケットの掴持位置と開放位置とに移動可能であるものであってもよい。
【０００９】
上記の構成によれば、ブラケットによる他方の支持部材の掴持及びその掴持の解除を、他方の支持部材を幅方向内向きに撓ませることにより容易に行うことができる。
【００１０】
また、この場合、本発明の車両用テーブルは、上記車両用内装品の上記縦壁に、上記他方の支持部材を保持可能な係止部が設けられており、上記テーブル部材が上記格納位置に位置付けられたときに、該係止部が該他方の支持部材を幅方向内向きに撓ませて保持するものであってもよい。
【００１１】
上記の構成によれば、テーブル部材を格納位置に位置付けたときに、係止部が他方の支持部材を保持するので、車両走行中における第１及び第２支持部材のがたつき、並びに、それに起因する異音の発生を防止することができる。
【発明の効果】
【００１２】
以上説明したように、本発明によれば、非常に簡単な構造でテーブル部材を支持することができる。
【発明を実施するための最良の形態】
【００１３】
以下、本発明の実施形態を図面に基づいて詳細に説明する。なお、本発明は以下に示す実施形態に限定されない。
【００１４】
図１乃至４は、本発明の実施形態に係る車両用テーブル１１を示す。
【００１５】
この車両用テーブル１１は、図１乃至４に示すように、テーブル部材１３の基端部がリアサイドトリム（車両用内装品）１にヒンジ２６で連結され、第１及び第２支持部材２９，３１によりテーブル部材１１が水平に支持された使用位置とリアサイドトリム１の縦壁１ａに沿う格納位置とに回動可能に設けられた構成のものである。
【００１６】
この車両用テーブル１１は、図２に示すように、テーブル部材１３等の各部材がテーブル収納用パネル３に取り付けられたユニットをリアサイドトリム１の縦壁１ａに形成された凹部（不図示）に嵌め込んだ構成となっている。なお、これにより、テーブル収納用パネル３もリアサイドトリム１の縦壁１ａの一部を構成している。
【００１７】
テーブル収納用パネル３は、図５及び６に示すように、側方に開口した縦長矩形の箱状の格納凹部５に形成されている。テーブル収納用パネル３の上面には、各々、幅方向に延びる３つの係合溝３ａが相互に間隔をおいて形成されている。また、テーブル収納用パネル３の各側縁には、各々、背面側に突出した３つの有孔の係合舌片３ｂが相互に間隔をおいて形成されていると共に、さらに、下縁にも、各々、背面側に突出した同様の２つの係合舌片３ｂが相互に間隔をおいて形成されている。そして、テーブル収納用パネル３は、係合溝３ａ及び係合舌片３ｂにリアサイドトリム１の縦壁１ａの凹部に形成された突起が係合することにより、リアサイドトリム１の縦壁１ａに固定されている。テーブル収納用パネル３の下辺部中央には、ロック係合孔３ｃが形成されている。
【００１８】
テーブル収納用パネル３の格納凹部５には、中央よりやや上に幅方向に延びる段差部５ａが形成され、それよりも上側部分の方が下側部分よりも凹部深さが浅く形成されている。段差部５ａの直上には、各々、略三角柱状の一対の係止部５ｂが相互に間隔をおいて突設されている。格納凹部５の段差部よりも上側部分には、３つのヒンジ取付孔５ｃが相互に幅方向に間隔をおいて形成されている。格納凹部５の段差部よりも下側部分には、一対のホルダー取付孔５ｄが相互に上下方向に間隔をおいて形成されている。
【００１９】
テーブル部材１３は、図２及び図５に示すように、テーブル本体１５とテーブルフレーム２３とを備えている。テーブル本体１５は、テーブル収納用パネル３と同様の外形の開口した樹脂製の矩形状の箱を裏返したような形状に形成されている。具体的には、テーブル本体１５は、長辺の長さが格納凹部５の上下方向の長さと略同一であり、短辺の長さが格納凹部５の幅方向の長さと略同一であり、厚みが段差部５ａよりも上側部分の格納凹部の深さと略同一である。テーブル本体１５の裏面側には、４つの角部及び先端部１５ｂ中央の計５箇所にフレーム取付孔１５ｄが形成されている。
【００２０】
テーブル本体１５の先端部１５ｂには、中央部に内側にコの字状に没入したロック収容部１５ｃが形成されており、その両側面の一方に相対的に長い穴１５ｅ及び他方に相対的に短い穴１５ｆがそれぞれ相互に対向するように形成されている。このロック収容部１５ｃには、ロック１７が設けられている。ロック１７は、側面の一つに開口部１７ａを有する直方体の箱状に形成されており、また、両底面のそれぞれに凸部１７ｃが形成され、さらに、裏面側に係合突起１７ｄが形成されている。ロック１７は、開口部１７ａが外向きになるように配置され、一方の凸部１７ｃがロック収容部１５ｃの一方の側面に形成された相対的に長い穴１５ｅに挿通され、且つ、他方の凸部１７ｃがコイルスプリング１９と共に他方の側面に形成された相対的に短い穴１５ｆに挿通されることにより、テーブル本体１５に取り付けられている。コイルスプリング１９は、一端がロック１７及び他端がロック収容部１５ｃの側面にそれぞれ固定されており、ネジリバネ弾性によりロック１７をテーブル本体１５の裏面側に外向きに回動付勢している。
【００２１】
テーブルフレーム２３は、テーブル本体１５と同様の外形の金属製のロの字形状に形成されている。テーブルフレーム２３には、テーブル本体１５のフレーム取付孔１５ｄに対応して５つの固定具挿通孔２３ｄが形成されている。テーブル部材１３は、テーブルフレーム２３がテーブル本体１５の裏面側に収納され、これらの固定具挿通孔２３ｄのそれぞれに裏側から挿通された固定具１６がテーブル本体１５に形成されたフレーム取付孔１５ｄに固定されて構成されている。
【００２２】
テーブルフレーム２３の一方の短辺部２３ｂには、中央部に内側に台形状に没入した没入部２３ｃが形成されており、その両側面のそれぞれに第１支持部材取付孔２３ｅが形成されている。
【００２３】
ヒンジ２６は、図２及び図５に示すように、横長矩形の板状に形成されたヒンジ本体部２７と、テーブルフレーム２３の他方の短辺部２３ａに相互に間隔をおいて設けられた一対の係合部２５とで構成されている。ヒンジ本体部２７には、３つの固定具挿通孔２７ｃが相互に幅方向に間隔をおいて形成されている。ヒンジ本体部２７は、これらの固定具挿通孔２７ｃのそれぞれに表側から挿通された固定具６がテーブル収納用パネル３に形成されたヒンジ取付孔５ｃに固定されることによりテーブル収納用パネル３に取り付けられている。ヒンジ本体部２７の上辺部には、各々、凹字形状に形成された舌片で構成された一対の嵌合部２７ｂが相互に間隔をおいて幅方向に設けられている。各嵌合部２７ｂの一対の先端のそれぞれには、円筒状の固定具挿通部２７ｄが幅方向に延びるように設けられている。これにより、各嵌合部２７ｂは、一対の固定具挿通部２７ｄ間に欠損部２７ｆが形成された、つまり、幅方向に、残存部２７ｅ、欠損部２７ｆ、残存部２７ｅが順に形成された構成となっている。一方、各係合部２５は、先端部が３つに分かれた舌片のその先端部を筒状に巻いたような形状に形成されており、幅方向に、残存部２５ｂ、欠損部２５ｃ、残存部２５ｂ、欠損部２５ｃ、残存部２５ｂが順に形成された構成となっている。テーブル部材１３は、ヒンジ本体部２７の欠損部２７ｆに、それに対応する係合部２５の残存部２５ｂを嵌めると共に各係合部２５の欠損部２５ｃに、それに対応するヒンジ本体部２７の残存部２７ｅを嵌めた噛み合い構造を構成し、それらのヒンジ本体部２７の残存部２７ｅ及び係合部２５の残存部２５ｂの連通した孔に棒などの長尺固定具２８を挿通することにより、長尺固定具２８を軸として前後方向に回動可能にテーブル収納用パネル３に取り付けられている。また、テーブル部材１３は、ロック１７によるテーブル収納用パネル３のロック係合孔３ｃへの係合により固定されて回動不可となり、その係合の解除により回動可能に復帰する。
【００２４】
第１及び第２支持部材２９，３１は、図６に示すように、各々、弾性材である金属線材をＵ字状に曲げた形状に形成されている。より具体的には、第１及び第２支持部材２９，３１は、幅方向に直線状に延びた中央部分２９ｃ，３１ｃと、その両端から屈曲してそれぞれから斜め外向きに真っ直ぐに延びたアーム部分２９ｂ，３１ｂと、各アーム部分２９ｂ，３１ｂに連続して略Ｌ字状に曲げられて外向きに延びた先端部分２９ａ，３１ａとで構成されている。以上のような構成により、第１及び第２支持部材２９，３１は、開放端が幅方向内向きに弾性的に撓み可能となっている。
【００２５】
第１支持部材２９は、図５に示すように、両先端部分２９ａがテーブルフレーム２３に形成された第１支持部材取付孔２３ｅに嵌め入れられていることにより、テーブル部材１３の先端部分に回動可能に軸支されている。つまり、第１支持部材２９の両先端部分２９ａは回動軸に構成されている。
【００２６】
第１支持部材２９には、中央部分２９ｃ及びアーム部分２９ｂの一部を上側から覆うように設けられたブラケット３３が固定されている。ブラケット３３は、図６及び８に示すように、平板状の固定部３３ａと、その両側にそれぞれ連続して垂下するように形成された折曲部３３ｂとを備えている。各折曲部３３ｂには、第１支持部材２９の先端部分２９ａ側に第２支持部材軸支部３３ｃ、また、中央部分２９ｃ側に第２支持部材保持部３３ｅがそれぞれ形成されている。第２支持部材軸支部３３ｃには貫通孔３３ｄが形成されている。第２支持部材保持部３３ｅは、基端側が外向きに凸に形成された後、開放端側に向かって内向きに凸に形成され、先端が開口部３３ｆに形成された断面Ｓ字状に構成されている。
【００２７】
第２支持部材３１は、図６及び７に示すように、中央部分３１ｃがホルダー３５の保持部３５ａに嵌められ、保持部３５ａの両側に形成された固定具挿通孔３５ｂに表側から挿通された固定具３４がテーブル収納用パネル３に形成されたホルダー取付孔５ｄに固定されることによりテーブル収納用パネル３に回動可能に軸支されている。また、第２支持部材３１は、両先端部分３１ａがブラケット３３の第２支持部材軸支部３３ｃに形成された貫通孔３３ｄに嵌め入れられていることにより、ブラケット３３が固定された第１支持部材２９に対して回動可能に軸支されている。つまり、第２支持部材３１の両先端部分３１ａは回動軸に構成されている。
【００２８】
以下、この車両用テーブル１１の使用及び格納について説明する。
【００２９】
この車両用テーブル１１は、使用状態では、図１及び２、並びに、図７に示すように、テーブル部材１３がリアサイドトリム１から張り出して水平に支持された使用位置に位置付けられる。このとき、第１及び第２支持部材２９，３１は、テーブル部材１３の先端部から斜め下方リアサイドトリム１側に真っ直ぐに延びるように設けられてテーブル部材１３を支持する。また、ブラケット３３は、図８に示すように、第２部材３１の両アーム部分３１ｂを第２支持部材保持部３３ｅで両側から挟むように掴持する。そして、これにより、図１及び２、並びに、図７に示すように、第１及び第２支持部材２９，３１は略直線状に保持される。
【００３０】
次に、この車両用テーブル１１の格納動作について説明する。
【００３１】
車両用テーブル１１を格納する際には、まず、図１０に示すように、第２支持部材３１を矢印に示す幅方向内向きに弾性的に撓ませてブラケット３３の第２支持部材保持部３３ｅによる第２支持部材３１の両アーム部分３１ｂの掴持を解除し、図１２に示すように、第２支持部材３１を第１支持部材２９及びブラケット３３に対して回動させて、第１及び第２支持部材２９，３１を内向きに折り曲げる。
【００３２】
そして、テーブル部材１３を回転させてリアサイドトリム１の縦壁１ａに沿うように位置付ける。
【００３３】
最後に、テーブル部材１３をリアサイドトリム１側に押圧する。このとき、第２支持部材３１は、図１１（ａ）に示すように、各アーム部分３１ｂが係止部５ｂのテーパ面に沿って内向きに変位して幅方向内向きに弾性的に撓み、図１１（ｂ）に示すように、係止部５ｂによって弾性的に係止保持される。また、テーブル部材１３は、ロック１７の係合突起１７ｄがテーブル収納用パネル３のロック係合孔３ｃに挿入されて係止固定される。
【００３４】
以上のようにして格納された車両用テーブル１１は、格納状態では、図３及び４、並びに、図９に示すように、第１及び第２支持部材２９，３１が折り曲げられた状態で格納凹部５の上側部分から下側部分に渡って格納されると共に、ブラケット３３が格納凹部５の上側部分に格納され、テーブル部材１３がその開口を塞ぐように格納位置に位置付けられる。このとき、係止部５ｂは、第２支持部材３１の両アーム部分３１ｂを両側から弾性的に撓ませた状態で弾性的に係止保持する。
【００３５】
次に、この車両用テーブル１１の展開動作について説明する。基本的に、展開動作は格納動作の逆である。
【００３６】
車両用テーブル１１を展開する際には、まず、ロック１７を表面側に外向きに回動させて係合突起１７ｄのロック係合孔３ｃへの係止を解除し、テーブル本体１５を手前側に回動させる。このとき、第２支持部材３１の係止部５ｂによる係止保持が解除される。
【００３７】
そして、テーブル本体１５を水平に位置付けると共に、第２支持部材３１のアーム部分３１ｂをブラケット３３の開口部３３ｆから第２支持部材保持部３３ｅに押し込むようにして第２支持部材３１をブラケット３３で掴持させことにより、車両用テーブル１１が展開されて使用可能状態となる。このとき、第２支持部材３１は、両アーム部分３１ｂがブラケット３３の開口部３３ｆに押し込まれる際に幅方向内向きに弾性的に撓んだ後、弾性復帰することにより図８に示すように第２支持部材保持部３３ｅに係止される。これにより、図７に示すように、第１及び第２支持部材２９，３１は略直線状に保持される。
【００３８】
以上説明したような車両用テーブル１１であれば、第１及び第２支持部材２９，３１、並びに、第１支持部材２９に固定されたブラケット３３によりテーブル部材１３の支持構造が構成され、しかも、その支持構造が、第１支持部材２９がブラケット３３に掴持されることによってテーブル部材１３を水平に支持するものであるので、非常に簡単な構造でテーブル部材１３を支持することができる。
【００３９】
また、ブラケット３３による第１支持部材２９の掴持及びその掴持の解除を、第２支持部材３１を幅方向内向きに弾性的に撓ませることにより容易に行うことができる。
【００４０】
さらに、テーブル部材１３を格納位置に位置付けたときに、係止部５ｃが第２支持部材３１を保持するので、車両走行中における第１及び第２支持部材２９，３１のがたつき、並びに、それに起因する異音の発生を防止することができる。
【００４１】
なお、上記実施形態では、車両用テーブル１１は、リアサイドトリム１の縦壁１ａに設けられた構成としたが、特にこれに限定されるものではなく、助手席のドアトリムやシート背面に設けられたものであってもよい。
【００４２】
また、上記実施形態では、第１支持部材２９にブラケット３３が固定された構成としたが、特にこれに限定されるものではなく、第２支持部材３１にブラケット３３が固定されたものであってもよい。
【産業上の利用可能性】
【００４３】
以上説明したように、本発明は、テーブル部材の基端部が車両用内装品にヒンジで連結され、該テーブル部材が水平に支持された使用位置と該車両用内装品の縦壁に沿う格納位置とに回動可能に設けられた車両用テーブルに有用である。
【図面の簡単な説明】
【００４４】
【図１】テーブル使用時における車両用テーブルの斜視図である。
【図２】テーブル使用時における車両用テーブルの要部の斜視図である。
【図３】テーブル格納時における車両用テーブルの斜視図である。
【図４】テーブル格納時における車両用テーブルの要部の斜視図である。
【図５】車両用テーブルの一部の分解斜視図である。
【図６】車両用テーブルの他の一部の分解斜視図である。
【図７】図１におけるVII-VII線に沿った断面図である。
【図８】図７におけるVIII-VIII線に沿った断面図である。
【図９】図３におけるIX-IX線に沿った断面図である。
【図１０】テーブル格納時における第１支持部材を幅方向内向きに撓ませた状態を示す斜視図である。
【図１１】（ａ）は第２支持部材の係止部への係止保持前の状態及び（ｂ）は係止保持後の状態をそれぞれ示す説明図である。
【図１２】テーブル格納途中における第１及び第２支持部材並びにブラケットを示す斜視図である。
【符号の説明】
【００４５】
１  リアサイドトリム（車両用内装品）
１ａ  縦壁
５ｂ  係止部
１１  車両用テーブル
１３  テーブル部材
２６  ヒンジ
２９  第１支持部材
３１  第２支持部材
３３  ブラケット
【図１】
2006199182.tif 000003
【図２】
2006199182.tif 000004
【図３】
2006199182.tif 000005
【図４】
2006199182.tif 000006
【図５】
2006199182.tif 000007
【図６】
2006199182.tif 000008
【図７】
2006199182.tif 000009
【図８】
2006199182.tif 000010
【図９】
2006199182.tif 000011
【図１０】
2006199182.tif 000012
【図１１】
2006199182.tif 000013
【図１２】
2006199182.tif 000014